(57)【要約】マルチトランシーバー移動体通信装置及びネガティブ・スケジューリングのための方法に係る実施形態が概して本願明細書には記載されている。他の実施形態も記載及び請求されてよい。幾つかの実施形態で、マルチトランシーバー移動体通信装置の広帯域無線アクセスネットワーク（ＢＷＡＮ）トランシーバーは、時間に関連したＱｏＳパラメータを含むネガティブ・スケジューリング（ＮＳ）要求フレームをＢＷＡＮ基地局に送信して、１又はそれ以上のネガティブ・アロケーション（ＮＡ）期間を要求することができる。これに応答して、ＢＷＡＮ基地局は、いつＮＡ期間が後のＢＷＡＮフレームの間に起こるべきかを示すＮＳ管理応答フレームを送信することができる。ＢＷＡＮ基地局は、また、いつ次のＮＡ期間が起こるべきかの指示を含むＮＡ期間の設定を更新するよう、続くＮＳ応答フレームを送信することもできる。
2011512104.tif 000002
【特許請求の範囲】
【請求項１】
マルチトランシーバー移動体通信装置であって、
広帯域無線アクセスネットワーク（ＢＷＡＮ）トランシーバーと、
ローカルトランシーバーと、
ネガティブ・スケジューリング（ＮＳ）サービスのための時間に関連したＱｏＳパラメータを決定し、前記ＢＷＡＮトランシーバーを、ＢＷＡＮフレーム内で１又はそれ以上のネガティブ・アロケーション（ＮＡ）期間を要求するようＢＷＡＮ基地局に前記ＱｏＳパラメータを含むＮＳ要求フレームを送信するように設定する共在コントローラと
を有し、
前記ＮＡ期間に対する要求が前記ＢＷＡＮ基地局によって認められる場合に、前記ＢＷＡＮトランシーバー及び前記ＢＷＡＮ基地局は前記ＮＡ期間の間の通信を控え、
前記ＮＡ期間の間、前記ローカルトランシーバーは、ローカル装置と通信を行うよう設定される、マルチトランシーバー移動体通信装置。
【請求項２】
前記ＮＳ要求フレーム内に含まれる前記時間に関連したＱｏＳパラメータは、前記ＮＳサービスのための好ましくないアクティビティ・パラメータ、最大レイテンシー及び最小存続期間を含む、請求項１に記載のマルチトランシーバー移動体通信装置。
【請求項３】
前記好ましくないアクティビティ・パラメータは、前記ＮＡ期間の間に要求されている好ましくない活動を示し、
前記好ましくない活動は、
ａ）ＢＷＡＮ受信及び送信がないこと、
ｂ）ＢＷＡＮ送信がないこと、又は
ｃ）ＢＷＡＮ受信がないこと
のうちの１つを有する、請求項２に記載のマルチトランシーバー移動体通信装置。
【請求項４】
前記時間に関連したＱｏＳパラメータは、最低リザーブレート、最大ジッタ、最大開始時間、最低寿命、及び最小応答時間のうちの１又はそれ以上を更に含む、請求項２に記載のマルチトランシーバー移動体通信装置。
【請求項５】
前記１又はそれ以上のＮＡ期間に対する要求が明示的なスケジュールにより前記ＢＷＡＮ基地局によって認められる場合に、前記ＮＡ期間は、前記ＢＷＡＮトランシーバーと前記ＢＷＡＮ基地局との間で伝達されるＢＷＡＮフレームの１若しくはそれ以上のアップリンク・サブフレーム又は１若しくはそれ以上のダウンリンク・サブフレーム内で提供される、請求項１に記載のマルチトランシーバー移動体通信装置。
【請求項６】
前記１又はそれ以上のＮＡ期間に対する要求が明示的なスケジュールにより前記ＢＷＡＮ基地局によって認められる場合に、前記ＢＷＡＮトランシーバーは、いつＮＡ期間が後のＢＷＡＮフレームの間に起こるべきかを示すＮＡスケジュールを、ＮＳ応答フレーム内で前記ＢＷＡＮ基地局から受信する、請求項５に記載のマルチトランシーバー移動体通信装置。
【請求項７】
前記ＮＡスケジュールは、少なくとも、前記ＮＡ期間の開始時間と、前記ＢＷＡＮフレームの時間スロットが前記ＮＡ期間の一部であるか否かを示すスロットステータスとを含む、請求項６に記載のマルチトランシーバー移動体通信装置。
【請求項８】
ＮＡスケジュール更新は、後続のＮＳ応答フレームで前記ＢＷＡＮ基地局から前記ＢＷＡＮトランシーバーによって受信され、前記ＮＳスケジュール更新は、少なくとも、いつ後のＮＡ期間が起こるべきかを示す、請求項７に記載のマルチトランシーバー移動体通信装置。
【請求項９】
前記スロットステータスはＮＡビットマップを有し、該ＮＡビットマップは、前記ＢＷＡＮフレームのスロットごとに、スロットが前記ＮＡ期間の１つの中にあるか否かを示すよう１又は０のいずれかを含む、請求項７に記載のマルチトランシーバー移動体通信装置。
【請求項１０】
前記ＮＡスケジュールはビットマップフォーマットであり、更に、インデックスフィールド、ユニットフィールド、スロットステータスフィールドの長さを示すビットマップ長フィールド、２つの連続した期間の間の間隔を示す期間フィールド、及びいつ当該ＮＡスケジュールの次の更新が起こるべきかの直近の時間を示す次回更新時間フィールドのうちの１又はそれ以上を含む、請求項７に記載のマルチトランシーバー移動体通信装置。
【請求項１１】
前記１又はそれ以上のＮＡ期間に対する要求が明示的なスケジュールによらずに前記ＢＷＡＮ基地局によって認められる場合に、前記ＢＷＡＮトランシーバーは、前記ダウンリンク・サブフレームのダウンリンクマップ又はアップリンクマップのいずれかから、後のＢＷＡＮフレームの夫々についてフレーム単位でＮＡ期間を識別するよう構成される、請求項５に記載のマルチトランシーバー移動体通信装置。
【請求項１２】
前記１又はそれ以上のＮＡ期間に対する要求が前記ＢＷＡＮ基地局によって認められない場合に、前記共在コントローラは、前記ＢＷＡＮトランシーバーがアクティブでない場合に前記ローカルトランシーバーをローカル装置と通信させるよう構成される、請求項５に記載のマルチトランシーバー移動体通信装置。
【請求項１３】
前記ＢＷＡＮトランシーバーは、直交周波数分割多重アクセス（ＯＦＤＭＡ）技術を用いて前記ＢＷＡＮフレームにより前記ＢＷＡＮ基地局と通信を行う回路を含み、
前記ローカルトランシーバーは、より短い距離用の短距離トランシーバーであり、ブルートュース（ＢＴ）トランシーバー又はワイファイ（ＷｉＦｉ）トランシーバーのいずれかを有する、請求項１に記載のマルチトランシーバー移動体通信装置。
【請求項１４】
ＢＷＡＮフレーム内にネガティブ・アロケーション（ＮＡ）期間を設けるために広帯域無線アクセスネットワーク（ＢＷＡＮ）基地局によって行われる方法であって、
いつＮＡ期間が後の複数のＢＷＡＮフレームの間に起こるべきかを示すネガティブ・スケジューリング（ＮＳ）応答フレームを送信する段階と、
少なくともいつ次のＮＡ期間が起こるべきかを示すことを含め前記ＮＡ期間の設定を更新する後続のＮＳ応答フレームを送信する段階と
を有し、
前記ＮＡ期間の間、マルチトランシーバー移動体通信装置のＢＷＡＮトランシーバー及び前記ＢＷＡＮ基地局は、通信を控えるよう構成され、
前記ＮＡ期間の間、前記マルチトランシーバー移動体通信装置のローカルトランシーバーは、ローカル装置と通信を行うよう構成される、方法。
【請求項１５】
前記ＮＳ応答フレームを送信する段階及び前記後続のＮＳ応答フレームを送信する段階は、前記ＢＷＡＮ基地局によって行われ、
当該方法は、ＢＷＡＭフレーム内で前記ＮＡ期間を要求する、時間に関連したＱｏＳパラメータを含むＮＳ要求フレームを受信する段階を更に有し、ＮＳサービスのための前記時間に関連したＱｏＳパラメータは、前記ＢＷＡＮトランシーバー及び前記ローカルトランシーバーを有する前記マルチトランシーバー移動体通信装置の共在コントローラによって決定され、
前記ＮＳ要求フレーム内に含まれる前記時間に関連したＱｏＳパラメータは、前記ＮＳサービスのための好ましくないアクティビティ・パラメータ、最大レイテンシー及び最小存続期間を含む、請求項１４に記載の方法。
【請求項１６】
前記ＢＷＡＮ基地局によって前記ＮＡ期間に対する要求を認める段階を更に有し、
前記ＢＷＡＮトランシーバー及び前記ＢＷＡＮ基地局は、前記ＮＡ期間の間、通信を控えるよう構成され
前記ローカルトランシーバーは、前記ＮＡ期間の間、ローカル装置と通信を行うよう構成される、請求項１５に記載の方法。
【請求項１７】
前記１又はそれ以上のＮＡ期間に対する要求が明示的なスケジュールにより前記ＢＷＡＮ基地局によって認められる場合に、当該方法は、前記ＢＷＡＮフレームの１若しくはそれ以上のアップリンク・サブフレーム又は１若しくはそれ以上のダウンリンク・サブフレーム内にＮＡ期間を設ける段階を有し、
前記１又はそれ以上のＮＡ期間に対する要求が明示的なスケジュールによらずに前記ＢＷＡＮ基地局によって認められる場合に、前記ＢＷＡＮトランシーバーは、前記ダウンリンク・サブフレームのダウンリンクマップ又はアップリンクマップのいずれかから、後のＢＷＡＮフレームの夫々についてフレーム単位でＮＡ期間を識別するよう構成され、
前記１又はそれ以上のＮＡ期間に対する要求が前記ＢＷＡＮ基地局によって認められない場合に、前記共在コントローラは、前記ＢＷＡＮトランシーバーがアクティブでない場合に前記ローカルトランシーバーをローカル装置と通信させるよう構成される、請求項１５に記載の方法。
【請求項１８】
前記ＮＡスケジュールは、少なくとも、前記ＮＡ期間の開始時間と、前記ＢＷＡＮフレームの時間スロットが前記ＮＡ期間の一部であるか否かを示すスロットステータスとを含み、
当該方法は、後続のＮＳ応答フレームで前記ＢＷＡＮトランシーバーによってＮＡスケジュール更新を提供する段階を更に有し、該ＮＡスケジュール更新は、少なくとも、いつ後のＮＡ期間が起こるべきかを示す、請求項１５に記載の方法。
【請求項１９】
マルチトランシーバー移動体通信装置の広帯域無線アクセスネットワーク（ＢＷＡＮ）トランシーバー及びローカルトランシーバーの間の共在を可能にするようネガティブ・アロケーション（ＮＡ）期間を受け取るために、前記マルチトランシーバー移動体通信装置によって行われる方法であって、
ネガティブ・スケジューリング（ＮＳ）サービスのための好ましくないアクティビティ・パラメータ、最大レイテンシー及び最小存続期間を含む、ＮＳサービスのための時間に関連したＱｏＳパラメータを決定する段階と、
前記ＱｏＳパラメータを含むＮＳ要求フレームをＢＷＡＮ基地局に送って、ＢＷＡＮフレーム内に１又はそれ以上のＮＡ期間を要求するよう、前記ＢＷＡＮトランシーバーを設定する段階と、
１又はそれ以上のＮＡ期間が認められる場合に、該１又はそれ以上のＮＡ期間の間ローカル装置と通信を行うよう前記ローカルトランシーバーを設定する段階と
を有する方法。
【請求項２０】
前記決定する段階及び前記設定する段階は、前記マルチトランシーバー移動体通信装置の共在コントローラによって行われ、
前記ＮＡ期間に対する要求が前記ＢＷＡＮ基地局によって認められる場合に、当該方法は、
前記ＢＷＡＮトランシーバー及び前記ＢＷＡＮ基地局による前記ＮＡ期間の間の通信を控える段階と、
前記ローカルトランシーバーによって、前記ＮＡ期間の間、前記ローカル装置と通信を行う段階と
を更に有する、請求項１９に記載の方法。
【請求項２１】
前記ＮＡスケジュールは、少なくとも、前記ＮＡ期間の開始時間と、前記ＢＷＡＮフレームの時間スロットが前記ＮＡ期間の一部であるか否かを示すスロットステータスとを含み、
当該方法は、後続のＮＳ応答フレームで前記ＢＷＡＮ基地局から前記ＢＷＡＮトランシーバーによってＮＡスケジュール更新を受信する段階を更に有し、該ＮＡスケジュール更新は、少なくとも、いつ後のＮＡ期間が起こるべきかを示す、請求項１９に記載の方法。
【発明の詳細な説明】
【技術分野】
【０００１】
幾つかの実施形態は無線通信に関連する。幾つかの実施形態は、広帯域無線アクセスネットワーク（ＢＷＡＮ）トランシーバー（例えば、ＷｉＭＡＸ（Worldwide  Interoperability  for  Microwave  Access））及びローカルトランシーバー（例えば、ＷＬＡＮ（Wireless  Local  Area  Network）トランシーバー又はブルートュース（ＢＴ）トランシーバー）等の同じ場所に配置されているトランシーバーに関連する。
【背景技術】
【０００２】
今日、多くの無線通信装置は、通信に係る種々の標準規格及び技術に従って様々なネットワーク及び様々な装置と通信を行うためのトランシーバーを１よりも多く有する。このようなマルチトランシーバー装置に伴う１つの問題は、１つのトランシーバーの通信が他のトランシーバーの通信に干渉しうることである。例えば、マルチトランシーバー移動体通信装置がＷｉＭＡＸトランシーバーと、ＢＴ又はＷＬＡＮトランシーバーとを有する場合に、一方のトランシーバーによる送信は、他方のトランシーバーによる受信に干渉しうる。
【発明の概要】
【発明が解決しようとする課題】
【０００３】
従って、マルチトランシーバー移動体通信装置の共在するトランシーバー間のコンフリクトを低減することを可能にするシステム及び方法が必要とされている。
【図面の簡単な説明】
【０００４】
【図１】本発明の実施形態に従って無線通信が行われる環境を表す。
【図２Ａ】本発明の実施形態に従うネガティブ・スケジューリング（ＮＳ）要求フレーム及びＮＳ応答フレームの伝達を表す。
【図２Ｂ】本発明の実施形態に従ってＮＳ要求フレームに含まれる幾つかのクオリティ・オブ・サービス（ＱｏＳ）パラメータの例を表す。
【図２Ｃ】本発明の実施形態に従ってＮＳ応答フレームに含まれる幾つかの情報の例を表す。
【図３】本発明の実施形態に従ってネガティブ・アロケーション（ＮＡ）期間を含む動的なネガティブ・スケジューリングを表す。
【図４】本発明の実施形態に従うダウンリンク・サブフレーム及びアップリンク・サブフレーム内のＮＡ期間並びに関連するＮＡビットマップを表す。
【図５】本発明の実施形態に従うＮＳプロシージャのフローチャートである。
【発明を実施するための形態】
【０００５】
以下の記載及び図面は、具体的な実施形態を、当業者がそれらを実施することができるほど十分に開示するものである。他の実施形態は、構造上の、論理上の、電気的な、処理的な及び他の変更を組み込んでよい。例は単に可能な変形例を代表するにすぎない。個々の構成要素及び機能は、明示的に必要とされない限り任意であり、動作の手順は様々であってよい。幾つかの実施形態の部分及び特徴が、他の実施形態の部分及び特徴に含まれても、又はそれらに取って代わってもよい。特許請求の範囲に挙げられている実施形態は、特許請求の範囲で定義される発明と均等な全ての利用可能なものを包含する。
【０００６】
図１は、本発明の実施形態に従って無線通信が行われる環境を表している。環境１００には、ＢＷＡＮ基地局１０２と、マルチトランシーバー移動体通信装置１０４と、ローカル装置１１０とが含まれている。マルチトランシーバー移動体通信装置１０４は、ＢＷＡＮフレーム１０３を用いてＢＷＡＮ基地局１０２と通信を行うＢＷＡＮトランシーバー１０６を有する。マルチトランシーバー移動体通信装置１０４は、１又はそれ以上のローカル装置（例えば、ローカル装置１１０）と通信を行うローカルトランシーバー１０８を更に有する。この実施形態で、マルチトランシーバー移動体通信装置１０４は多重無線プラットフォーム（ＭＲＰ）と呼ばれる。ローカルトランシーバー１０８は、とりわけ、以下でより詳細に記載されるように、ローカル装置１１０を見つけ、ローカル装置１１０との接続を確立し、ローカル装置１１０と通信を行う。ＢＷＡＮ基地局１０２は、１又はそれ以上のネットワーク１０１（例えば、インターネット又はＰＳＴＮ）と結合されており、ネットワーク１０１とマルチトランシーバー移動体通信装置１０４との間の通信を提供することができる。
【０００７】
実施形態に従って、マルチトランシーバー移動体通信装置１０４は、ＢＷＡＮトランシーバー１０６及びローカルトランシーバー１０８とインターフェース接続する共在コントローラ１０７を有する。共在コントローラ１０７は、ローカルトランシーバー１０８がローカル装置１１０と通信を行いたいと望んでいる場合に、ＢＷＡＮトランシーバー１０６を、基地局１０２にＢＷＡＮフレーム１０３内で１又はそれ以上のネガティブ・アロケーション（ＮＡ）期間を要求するよう設定することができる。この実施形態で、共在コントローラ１０７は、ネガティブ・スケジューリング（ＮＳ）サービスのための時間に関連したＱｏＳパラメータを決定することができ、ＢＷＡＮトランシーバー１０６を、ＱｏＳパラメータを含むＮＳ要求管理フレームをＢＷＡＮ基地局１０２に送信して１又はそれ以上のＮＡ期間を要求するよう設定することができる。ＱｏＳパラメータは、例えば、要求されるＮＳサービスのための最大レイテンシー（Ｄ）及び最小存続期間（Ｔ）を含んでよい。なお、実施形態の適用範囲はこれに関して限定されない。
【０００８】
この実施形態で、ＱｏＳパラメータは、所望の共在アクティビティの特性を示すよう選択され得、ＢＷＡＮ基地局１０２は、マルチトランシーバー移動体通信装置１０４が不在である正確な時間をスケジューリングすることができる。このようにスケジューリングされた期間はネガティブ・アロケーション（negative  allocation）と呼ばれうる。
【０００９】
１又はそれ以上のＮＡ期間がＢＷＡＮ基地局１０２によって認められる場合に、ＢＷＡＮトランシーバー１０６及びＢＷＡＮ基地局１０２は、ＮＡ期間の間、一部又は全ての通信を控える。ＮＡ期間中、ローカルトランシーバー１０８は、ローカル装置１１０と通信を行うよう共在コントローラ１０７によって設定されてよい。
【００１０】
ＢＷＡＮトランシーバー１０６は送信することを控えるよう設定され得るので、ＮＡ期間の間、ＢＷＡＮトランシーバー１０６によるＢＷＡＮ送信がローカルトランシーバー１０８とローカル装置１１０との間のローカル通信に干渉する可能性は低い。更に、ＢＷＡＮトランシーバーは受信することを控えるよう設定され得るので、ローカルトランシーバー１０８とローカル装置１１０との間のローカル通信がＢＷＡＮトランシーバー１０６による受信に干渉する可能性は低い。ＮＡ期間中、ローカルトランシーバー１０８は、ＢＷＡＮトランシーバー１０６からの干渉を伴わずに且つＢＷＡＮトランシーバー１０６の動作に干渉することなく、未知のローカル装置を発見し、未知のローカル装置との接続を確立し、既に確立されているローカル装置との接続を介して通信を行い、又はローカル装置との他の通信に関連した動作を行ってよい。
【００１１】
この実施形態で、ＢＷＡＮトランシーバー１０６とＢＷＡＮ基地局１０２との間のリンク又は接続は、ＮＡ要求が送信される前に予め確立されていてよい。ＢＷＡＮトランシーバー１０６とＢＷＡＮ基地局１０２との間のリンク又は接続が確立されていない場合、如何なる共在問題も起こる可能性は低いので、ＮＡ要求は送信される必要がない。幾つかの実施形態では、ＢＷＡＮトランシーバー１０６とＢＷＡＮ基地局１０２との間のリンク又は接続が確立されていない場合に、ＮＡ要求は、近い将来に確立される接続又はリンクの準備をするために送信されてよい。
【００１２】
幾つかの実施形態で、ＢＷＡＮトランシーバー１０６は、直交周波数分割多重アクセス（ＯＦＤＭＡ）技術を用いてＢＷＡＮフレーム１０３によりＢＷＡＮ基地局１０２と通信を行う回路を有する。幾つかの実施形態で、ＢＷＡＮトランシーバー１０６はＷｉＭＡＸトランシーバーであってよく、ＢＷＡＮ基地局１０２はＷｉＭＡＸ基地局であってよい。なお、実施形態の適用範囲はこれに関して限定されない。幾つかの実施形態で、ローカルトランシーバー１０８は、より短い距離用の短距離トランシーバーであってよく、ブルートュース（ＢＴ）トランシーバー又はワイファイ（ＷｉＦｉ）トランシーバーのいずれかを有してよい。なお、ローカルトランシーバー１０８は、ほとんど、潜在的にＢＷＡＮトランシーバー１０６に干渉しうる他の如何なるトランシーバーであってよいので、実施形態の適用範囲はこれに関して限定されない。
【００１３】
図２Ａは、本発明の実施形態に従うネガティブ・スケジューリング要求フレーム及びネガティブ・スケジューリング応答フレームの伝達を表している。ＮＳ要求フレーム２０２は、マルチトランシーバー移動体通信装置（ＭＴＣＤ）１０４のＢＷＡＮトランシーバー１０６によってＢＷＡＮ基地局１０２に送信され得る。ＮＳ要求フレーム２０２には、時間に関連したＱｏＳパラメータ２０３が含まれてよい。ＮＳ要求フレーム２０２の受信に応答して、ＢＷＡＮ基地局１０２は、ＮＳ応答フレーム２０４をＢＷＡＮトランシーバー１０６に送信することができる。ＮＳ応答フレーム２０４には、いつＮＡ期間が後のＢＷＡＮフレーム１０３の間に起こるべきかを示すＮＡスケジュール２０５が含まれてよい。幾つかの実施形態で、ＢＷＡＮ基地局１０２は、続くＮＳ応答フレーム２０６をＢＷＡＮトランシーバー１０６に送信してよい。後続のＮＳ応答フレーム２０６には、いつ後のＮＡ期間が起こるべきかを示すＮＳスケジュール更新２０７が含まれてよい。このようにして、ＮＡ期間は動的に割り当てられ得る。これらの実施形態は、以下で、より詳細に論じられる。
【００１４】
図２Ｂは、本発明の実施形態に従ってネガティブ・スケジューリング要求フレームに含まれる幾つかのクオリティ・オブ・サービス（ＱｏＳ）パラメータの例を表している。時間に関連したＱｏＳパラメータ２０３の１又はそれ以上はＮＳ要求フレーム２０２（図２Ａ）に含まれてよい。時間に関連したＱｏＳパラメータ２０３には、最低リザーブレート（reserve  rate）（Ｒ）２１０、最大ジッタ（Ｊ）２１２、最大レイテンシー（Ｄ）２１４、最小存続期間（Ｔ）２１６、最大開始時間（Ｓ）２１８、最低寿命（Ｌ）２２０、最小応答時間（ｋ）２２２及び好ましくないアクティビティ・パラメータ（ｕ）２２４が含まれてよい。
【００１５】
この実施形態で、最低リザーブレート（Ｒ）２１０は、時間における最低ネガティブ・アロケーション比を参照してよく、最大ジッタ（Ｊ）２１２は、ネガティブ・アロケーションの連続した間隔の間の最大差を参照してよく、最大開始時間（Ｓ）２１８は、最初のネガティブ・アロケーションが始まる直近の時間を参照してよく、最低寿命（Ｌ）２２０は、最初のネガティブ・アロケーション期間の開始時間と最後のネガティブ・アロケーション期間の終了時間との間の最小存続期間を参照してよく、最小応答時間（ｋ）２２２は、ＢＷＡＮトランシーバー１０６がＮＳ応答フレームを受信する時間と、ＮＳ応答フレームに関連する最初のネガティブ・アロケーションの開始時間との間の最小存続期間を参照してよい。
【００１６】
好ましくないアクティビティ・パラメータ（ｕ）２２４は、ＮＡ期間中に要求されている好ましくないアクティビティを示してよい。好ましくないアクティビティは、ａ）ＢＷＡＮトランシーバー１０６によるＢＷＡＮ受信及び送信がないこと（これは、好ましくないアクティビティ・パラメータ２２４として、‘０’によって示され得る。）、ｂ）ＢＷＡＮトランシーバー１０６によるＢＷＡＮ送信がないこと（これは、好ましくないアクティビティ・パラメータ２２４として、‘１’によって示され得る。）、又はｃ）ＢＷＡＮトランシーバー１０６によるＢＷＡＮ受信がないこと（これは、好ましくないアクティビティ・パラメータ２２４として、‘２’によって示されてよい。）。
【００１７】
図２Ｃは、本発明の実施形態に従ってネガティブ・スケジューリング応答フレームに含まれる幾つかの情報の例を表している。ＮＡスケジュール２０５は、ＮＳ応答フレーム２０４（図２Ａ）でＢＷＡＮ基地局１０２から受信されてよい。ＮＡスケジュール２０５には、ＮＡ期間の開始時間フィールド２３４と、ＢＷＡＮフレーム１０３（図１）の時間スロットがＮＡ期間の一部であるのか否かを示すスロットステータスフィールド２３８とが含まれてよい。ＮＡスケジュール２０５には、更に、１又はそれ以上のフィールド、例えば、特定のビットマップ・スケジュールを識別するインデックスフィールド２３０、多数のＢＷＡＮフレームでのビットマップ・スロットのユニットを示すユニットフィールド２３２、多数のバイトでＮＡスケジュール２０３を有するスロットステータスフィールド２３８の長さを示すビットマップ長フィールド２３６、ＢＷＡＮフレームのユニットでの２つの連続する期間の間の間隔を示す期間フィールド２４０、及びいつＮＡスケジュール２０５の次の更新が起こるべきかの直近の時間を示す次回更新時間フィールド２４２が含まれてよい。次回更新時間フィールド２４２は、２Ｐ個のＢＷＡＮフレームのユニットで時間を示すことができる。なお、指数‘Ｐ’は、２Ｐ個のフレームの時間更新時間を示すフィールドの値である。幾つかの実施形態で、ＮＡスケジュール２０５はビットマップフォーマットであってよい。これらの実施形態については、以下でより詳細に論じられる。
【００１８】
図３は、本発明の実施形態に従ってネガティブ・アロケーション期間を含む動的なネガティブ・スケジューリングを表している。ＮＡ期間３０２は、ＢＷＡＮフレーム１０３（図１）内でＢＷＡＮ基地局１０２（図１）によって提供されてよい。ＮＡ期間３０２のパラメータは、応答フレーム２０４及び／又は後続の応答フレーム２０６（図２Ａ）内で示されてよい。幾つかの実施形態で、最初のＮＡスケジュール（例えば、ＮＡスケジュール２０５（図２Ａ及び２Ｃ））が受信され得る。この最初のＮＡスケジュールは、第１のＮＡ期間３０２ＡのためのＮＡスケジュールであってよい。ＮＡスケジュール更新（例えば、ＮＡスケジュール更新２０７（図２Ａ））が続いて受信され得る。このＮＡスケジュール更新は、第２のＮＡ期間３０２ＢのためのＮＡスケジュールであってよい。他のＮＡスケジュール更新も受信されてよく、これは第３のＮＡ期間３０２ＣのためのＮＡスケジュールであってよい。図３に表されているように、ｘｉは、関連するＮＡ期間の存続期間を表し、ｙｉは、連続するＮＡ期間の間の間隔を表し、ｚは、ＮＡ期間３０２Ａの開始時間２３４を示し、ｚ０は、ＮＳ応答フレーム２０４がＢＷＡＮトランシーバー１０６で受信された時間を示す。幾つかの実施形態で、パラメータは、以下の式に従って制約され得る。
【００１９】
【数１】
2011512104.tif 000003
【００２０】
【数２】
2011512104.tif 000004
幾つかの状況で、ＮＡスケジュールは、必要とされるならば、更なるＮＡ期間を提供してよい。この状況で、ＢＷＡＮ基地局１０２は、追加的なリソースがポジティブ・アロケーション（ＰＡ）（例えば、再送信）に必要とされる場合に、幾つかのＮＡ期間を取り戻すことができる。ＢＷＡＮ基地局１０２によるこのような動作は、ＮＳサービスに対する要求が受け入れられた場合に、ＢＷＡＮ基地局１０２によって受け入れられたＱｏＳ同意を保つことができる。
【００２１】
図４は、本発明の実施形態に従うダウンリンク・サブフレーム及びアップリンク・サブフレーム内のネガティブ・アロケーション期間及び関連するネガティブ・アロケーションビットマップを表している。図４に表されているように、ＮＡ期間４０２は、ＢＷＡＮフレーム１０３の１若しくはそれ以上のダウンリンク（ＤＬ）サブフレーム４０４又は１若しくはそれ以上のアップリンク（ＵＬ）サブフレームに設けられてよい。ＮＡ期間４０２はＮＡ期間３０２（図３）に対応してよい。
【００２２】
この実施形態で、１又はそれ以上のＮＡ期間４０２に対する要求は、明示的なスケジュールによりＢＷＡＮ基地局１０２（図１）によって認められてよく、明示的なスケジュールによらずにＢＷＡＮ基地局１０２によって認められてよく、あるいは、ＢＷＡＮ基地局１０２によって認められないことがある。１又はそれ以上のＮＡ期間４０２に対する要求が明示的なスケジュールによりＢＷＡＮ基地局１０２によって認められる場合に、ＢＷＡＮトランシーバー１０６は、いつＮＡ期間４０２が後のＢＷＡＮフレーム１０３の間に起こるべきかを示すＮＡスケジュール２０５を、ＮＳ応答フレーム２０４内でＢＷＡＮ基地局１０２から受信することができる。ＮＡスケジュール２０５（図２）には、少なくとも、ＮＡ期間４０２の開始時間フィールド２３４と、ＢＷＡＮフレーム１０３の時間スロットがＮＡ期間４０２の一部であるか否かを示すスロットステータスフィールド２３８とが含まれてよい。
【００２３】
幾つかの実施形態で、スロットステータスフィールド２３８は、ＮＡビットマップ（例えば、ＮＡビットマップ４３８Ａ又はＮＡビットマップ４３８Ｂ）を有してよい。ＮＡビットマップには、ＢＷＡＮフレーム１０３のスロットごとに、スロットがＮＡ期間４０２の１つの中にあるか否かを示すよう‘１’又は‘０’のいずれかが含まれてよい。この実施形態で、‘０’は、スロットがＮＡ期間４０２内にあることを示し、‘１’は、スロットがＮＡ期間４０２内にないことを示す。スロットがＮＡ期間内にない場合、それはＰＡの一部でありうる。
【００２４】
１又はそれ以上のＮＡ期間に対する要求が明示的なスケジュールによらずにＢＷＡＮ基地局１０２によって認められる場合に、ＢＷＡＮトランシーバー１０６は、ダウンリンク・サブフレーム４０４のダウンリンクマップ又はアップリンクマップのいずれかから、複数の後続のＢＷＡＮフレーム１０３の夫々についてフレーム単位でＮＡ期間を識別するよう設定されてよい。夫々のダウンリンク・サブフレーム４０４には、ダウンリンク・サブフレーム及びアップリンク・サブフレームのどの部分がＢＷＡＮトランシーバー１０６に適用することができるのかを示すダウンリンクマップ及びアップリンクマップが含まれてよい。この実施形態で、ＮＳ要求が明示的なスケジュールによらずに認められる場合、ＢＷＡＮトランシーバー１０６は、応答フレームにおいて受諾を知らされ得る。
【００２５】
１又はそれ以上のＮＡ期間に対する要求がＢＷＡＮ基地局１０２によって認められない（すなわち、受け入れられない）場合に、共在コントローラ１０７は、ＢＷＡＮ通信がローカル通信に干渉しないように、且つ／あるいは、ローカル通信がＢＷＡＮ通信に干渉しないように、ＢＷＡＮトランシーバー１０６がアクティブでない場合にローカルトランシーバー１０８にローカル装置１１０と通信を行わせるよう構成されてよい。この実施形態で、ＮＳ要求が認められない場合、ＢＷＡＮトランシーバー１０６は、応答フレームにおいてこれを知らされ得る。この実施形態で、共在コントローラ１０７は、ＢＷＡＮトランシーバー１０６が積極的に送信し及び／又は積極的に受信している場合を示すＢＷＡＮアクティブ信号をローカルトランシーバー１０８に供給してよい。１又はそれ以上のＮＡ期間４０２に対する要求がＢＷＡＮ基地局１０２によって認められない場合、他の方法が干渉を防ぐために用いられてよい。
【００２６】
ＮＡスケジュール４０５Ａ及び４０５Ｂは、ＢＷＡＮ基地局１０２によって供給されうるＮＡスケジュールの２つの例であり、これらのＮＡスケジュールにおいて、ＤＬサブフレーム対ＵＬサブフレームの比は１：１に設定されている。幾つかの実施形態で、ＢＷＡＮ基地局１０２は、ＮＡスケジュール４０５Ａ及び４０５Ｂが両方とも、要求されるＮＳサービスのＱｏＳ要件を満足するので、ＮＡスケジュール４０５ＡとＮＡスケジュール４０５Ｂとの間を切り替えるよう更新を送出してよい。
【００２７】
表されている例では、グラニュラリティ（granularity）は６シンボルであり（すなわち、６シンボル毎スロット）、１つのＢＷＡＮフレームは長さが５ミリ秒（ｍｓ）であり、４８シンボルを有することができる。この実施形態で、４フレーム（２０ｍｓ）の期間を有してＮＡビットマップ・スケジュールを記述するためには、４バイトが用いられる。図４で、ＮＡ４０２の部分でないＤＬサブフレーム及びＵＬサブフレームの部分にはＰＡが含まれてよい。ＮＡ比は、ビットマップ４３８Ａ及び４３８Ｂに関連するＮＡスケジュールに関して、夫々、６５．６％及び６８．８％である。
【００２８】
ＢＷＡＮフレーム３及び４における時間の大部分がＮＡ期間４０２のためにリザーブされているように表されているが、ＢＷＡＮ基地局１０２は、要求されるＱｏＳパラメータが満足されているならば、なおも、必要に応じて（例えば、再送信のために）この時間をＰＡのために使用することができる。フレーム３の最初の６シンボルはＰＡのためにリザーブされてよく、ＮＡビットマップ４３８Ａ及び４３８Ｂでは‘１’によって示されている。これは、ＢＷＡＮ基地局１０２が、フレーム３及び４にＢＷＡＮトランシーバー１０６のための更なるＰＡがあるかどうかを示すことを可能にする。フレーム１及び２における同じアロケーション・パターンがフレーム３及び４に用いられるとすると、ＮＡ比は夫々３７．５％及び４３．８％まで低減される。変数‘Ｐ’は、ＢＷＡＮ基地局１０２がＰＡのためにフレーム３及び４で更なるリソースを用いる可能性を示すために用いられてよい。ビットマップ４３８Ａのスケジュールに関し、３７．５％×Ｐ＋６５．６％（１−Ｐ）≧５０％であり、従って、Ｐ≦５５．５％である。ビットマップ４３８Ｂのスケジュールに関し、４３．８％×Ｐ＋６８．８％（１−Ｐ）≧５０％であり、従って、Ｐ≦７５．２％である。この例で、５０％は最低リザーブレート２１０（Ｒ）（すなわち、ＮＳ要求におけるＱｏＳパラメータ２０３のうちの１つ）に相当する。このようにして、基地局１０２がＰＡをフレーム３及び４に含めることができる最大確率は７５．２％であり、フレーム３及び４は主としてＮＡのためにリザーブされる。一方、ＢＷＡＮトランシーバー１０６によって要求された５０％の最低リザーブレートは依然として満足される。
【００２９】
図５は、本発明の実施形態に従うネガティブ・スケジューリング・プロシージャのフローチャートである。ネガティブ・スケジューリング・プロシージャ５００は共在コントローラ１０７（図１）によって実行されてよい。なお、幾つかの動作は、ＢＷＡＮトランシーバー１０６（図１）及びローカルトランシーバー１０８（図１）によって実行されてよい。プロシージャ５００は、ローカルトランシーバー１０８及びローカル装置１１０による通信がマルチトランシーバー移動体通信装置１０４によって望まれている場合に実行され得る。
【００３０】
動作５０４で、共在コントローラ１０７は、ＢＷＡＮトランシーバー１０６とＢＷＡＮ基地局１０２との間のＢＷＡＮ接続が確立されているか否かを判断する。接続が確立されていない場合、動作５０６が実行される。接続が確立されている場合は、動作５０８が実行される。幾つかの実施形態で、ＢＷＡＮ接続が確立されていない場合、動作５０８は、ＢＷＡＮ接続が確立されようとしていることを見越して行われてよい。
【００３１】
動作５０６で、ローカルトランシーバー１０８（図１）及びローカル装置１１０（図１）は、それらの通信が未確立のＢＷＡＮ接続に干渉することも、未確立のＢＷＡＮ接続がそれらの通信に干渉することもないので、制限なく通信を行うことができる。
【００３２】
動作５０８で、共在コントローラ１０７は、所望のＮＳサービスに係る時間に関連したＱｏＳパラメータを決定する。幾つかの時間に関連したＱｏＳパラメータの例が図２Ｂに表されている。
【００３３】
動作５１０で、ＮＳ要求フレーム（例えば、ＮＳ要求フレーム２０４（図２Ａ））がＢＷＡＮトランシーバー１０６によってＢＷＡＮ基地局１０２に送信される。ＮＳ要求フレームには、時間に関連したＱｏＳパラメータが含まれてよい。
【００３４】
動作５１２で、ＮＳサービスに対する要求が基地局１０２によって受け入れられ、又は拒絶され、ＮＳ応答フレーム（例えば、ＮＳ応答フレーム２０４）で示される。要求は、明示的なＮＡスケジュールにより、又は明示的なＮＡスケジュールによらずに、受け入れられ得る。要求が明示的なＮＡスケジュールによらずに受け入れられる場合、動作５１４が実行される。要求が明示的なＮＡスケジュールにより受け入れられる場合、動作５１６が実行される。要求が受け入れられない場合、動作５２２が実行される。
【００３５】
動作５１４は、ＢＷＡＮ基地局１０２によって送信されたＤＬサブフレームにおけるＤＬマップ及びＵＬマップをフレーム単位で処理して、フレームごとにＮＡスケジュールを識別する。
【００３６】
動作５１６は、ＮＡスケジュールを決定するよう、ＮＳ応答で基地局１０２から受信されたＮＡスケジュールを読み出す。ＮＡスケジュールは、１又はそれ以上の後続フレームについて、１又はそれ以上のＮＡ期間（例えば、ＮＡ期間４０２）を示すことができる。
【００３７】
動作５２０は、ＮＡスケジュールに従って通信を行う。この実施形態で、ローカルトランシーバー１０８及びローカル装置１１０は、動作５１４でフレームごとに決定されたように、又は動作５１６で決定されたように、スケジューリングされたＮＡ期間の間、通信を行うことができる。この実施形態で、ＢＷＡＮトランシーバー１０６及びＢＷＡＮ基地局１０２は、好ましくないアクティビティ・パラメータ（ｕ）２２４（図２Ｂ）によって要求される好ましくないアクティビティに依存して、スケジューリングされたＮＡ期間の間、一定の通信を控える。
【００３８】
動作５２２で、ローカルトランシーバー１０８は、ＢＷＡＮ通信との干渉を低減するよう選択された時点で、又はＢＷＡＮ通信がローカルトランシーバー１０８とローカル装置１１０との間の通信に干渉しないように選択された時点で、ローカル装置１１０と通信を行うことができる。幾つかの実施形態で、ローカルトランシーバー１０８は、ＢＷＡＮトランシーバー１０６がアクティブでない場合にローカル装置１１０と通信を行うことができる。幾つかの実施形態で、上述されたＢＷＡＮアクティブ信号は、ダウンリンク・サブフレームの受信中に共在コントローラ１０７によってアサートされてよく、ローカルトランシーバー１０８がブルートュース（ＢＴ）トランシーバーである場合、ローカルトランシーバー１０８は、ＢＷＡＮアクティブ信号によって伝えられるタイミング情報に基づいてマスター対スレーブ（master-to-slave）スロット又はスレーブ対マスター（slave-to-master）スロットのいずれかのスロット境界を調整することができる。ＢＷＡＮアクティブ信号は、ＢＷＡＮトランシーバー１０６によるアップリンク・サブフレームの送信中は、共在コントローラ１０７によってデアサートされ得る。
【００３９】
プロシージャ５００の個々の動作が別々の動作として図示及び記載をされているが、これらの個々の動作の１又はそれ以上は同時に実行されてよく、また、動作は図示されている順序で実行される必要はない。
【００４０】
本願で用いられている用語「ブルートュース（Bluetooth（登録商標））」は、２．４ギガヘルツ（ＧＨｚ）スペクトルで動作する短距離無線プロトコルである周波数ホッピングスペクトラム拡散（ＦＨＳＳ（Frequency-hopping  spread-spectrum））を含む短距離デジタル通信プロトコルをいう。用語「ＢＷＡＮ」は、帯域外（ＯＯＢ（out-of-band））放射に起因する干渉を含め、ＢＴ又はＷｉＦｉ通信によって利用されるスペクトルと潜在的に干渉する恐れがある何らかの広帯域無線アクセス通信技術（例えば、直交周波数分割多重アクセス（ＯＦＤＭＡ））を用いて通信を行う装置をいう。用語「ワイファイ」、「ブルートュース」及び「ワイマックス」の使用は、ワイファイ、ブルートュース及びワイマックスに関連する基準及び仕様の要件のいずれかに実施形態を制限するよう意図されるものではない。
【００４１】
幾つかの実施形態で、ＢＷＡＮトランシーバー１０６及びＢＷＡＮ基地局１０２は、直交周波数分割多重アクセス（ＯＦＤＭＡ）に従ってマルチキャリア通信チャネルにより直交周波数分割多重化（ＯＦＤＭ）通信を用いて通信を行うことができる。ＯＦＤＭ信号は、複数の直交サブキャリアを有してよい。このようなマルチキャリア実施形態の幾つかで、ＢＷＡＮトランシーバー１０６及びＢＷＡＮ基地局１０２は、特定の通信基準（例えば、無線メトロポリタンエリアネットワーク（ＷＭＡＮ）のためのＩＥＥＥ８０２．１６（ｅ）及びＩＥＥＥ８０２．１６−２００４並びにそれらの変形及び展開を含むＩＥＥＥ（Institute  of  Electrical  and  Electronics  Engineers）標準規格）に従って通信を行ってよい。なお、本発明の適用範囲は、それらが他の技術及び基準に従う通信を送受信するのにも適しているので、これに関して限定さない。ＩＥＥＥ８０２．１６標準規格に関して詳しくは、「IEEE  Standards  for  Information  Technology−Telecommunications  and  Information  Exchange  between  Systems」−Metropolitan  Area  Networks−Specific
Requirements−Part  16：「Air  Interface  for  Fixed  Broadband  Wireless  Access  Systems」、２００５年５月及び関連する改訂／版を参照されたし。
【００４２】
幾つかの実施形態で、マルチトランシーバー移動体通信装置１０４は、移動局又は移動端末と考えられてよい。幾つかの実施形態で、ローカルトランシーバー１０８は、ＩＥＥＥ８０２．１５．１のＢＴ標準規格に従って通信を行う短距離周波数ホッピング（ＳＲＦＨ）トランシーバーであってよい。他の実施形態で、ローカルトランシーバー１０８は、ＩＥＥＥ８０２．１５．３ａに従って通信を行う超広帯域（ＵＷＢ）トランシーバー、ＩＥＥＥ８０２．１１−２００７§１４に従って通信を行う周波数ホッピングスペクトラム拡散（ＦＨＳＳ）ＷＬＡＮトランシーバー、ＩＥＥＥ８０２．１１−２００７§１５（かつては８０２．１１（ｂ））に従って通信を行う直接シーケンススペクトラム拡散（ＤＳＳＳ）ＷＬＡＮトランシーバー、ＩＥＥＥ８０２．１１−２００７§１７（かつてはＩＥＥＥ８０２．１１（ａ））に従って通信を行うＯＦＤＭ  ＷＬＡＮトランシーバー（又は、ＩＥＥＥ８０２．１１−２００７§１８及び１９（かつてはＩＥＥＥ８０２．１１（ｇ））に従って通信を行うＤＳＳＳ及びＯＦＤＭを用いて通信を行うよう構成される高レート（ＨＲ）ＤＳＳＳ  ＯＦＤＭトランシーバー）であってよい。ローカルトランシーバー１０８がＢＴトランシーバーである場合、ローカル装置１１０はＢＴ装置（例えば、ＢＴヘッドセット）を有してよい。幾つかの実施形態で、ローカルトランシーバー１０８がＷＬＡＮアクセスポイントである場合、ローカル装置１１０はＷＬＡＮ装置であってよい。
【００４３】
幾つかの実施形態で、ＷｉＭａｘトランシーバー１０６及びＷｉＭａｘ基地局１０２は通信のために１又はそれ以上のアンテナを使用してよい。アンテナは、例えば、ダイポールアンテナ、モノポールアンテナ、パッチアンテナ、ループアンテナ、マイクロストリップアンテナ、又はＲＦ信号の送信に適した他のタイプのアンテナを含む、１又はそれ以上の指向性又は無指向性のアンテナを有してよい。幾つかの実施形態で、２又はそれ以上のアンテナに代えて、複数の開口を有する単一のアンテナが使用されてよい。これらの実施形態で、夫々の開口は別個のアンテナとして考えられ得る。幾つかのＭＩＭＯ（multiple-input,  multiple-output）実施形態で、２又はそれ以上のアンテナは、起こりうる様々なチャネル特性及び空間ダイバーシティを利用するよう有効に分離されてよい。
【００４４】
マルチトランシーバー移動体通信装置１０４は複数の別個の機能要素を有するよう図示されているが、これらの機能要素のうちの１又はそれ以上は組み合わされよく、また、ソフトウェアにより構成される要素（例えば、デジタル信号プロセッサ（ＤＳＰ）を含むプロセッシング要素）及び／又は他のハードウェア要素の組み合わせによって実施されてよい。例えば、幾つかの要素は、１又はそれ以上のマイクロプロセッサ、ＤＳＰ、特定用途向け集積回路（ＡＳＩＣ）、無線周波数集積回路（ＲＦＩＣ）、及び本明細書に記載されている機能を少なくとも実行する様々なハードウェア及び論理回路の組み合わせを有してよい。幾つかの実施形態で、マルチトランシーバー移動体通信装置１０４の機能要素は、１又はそれ以上のプロセッシング要素を動作させる１又はそれ以上の処理をいう。
【００４５】
特に別なふうに述べられない限り、プロセッシング（処理）（processing）、コンピューティング（computing）、計算（calculating）、決定（判断）（determining）、表示（displaying）等の用語は、処理システムのレジスタ及びメモリ内の物理的（例えば、電子的）な量として表されるデータを扱って、処理システムのレジスタ又はメモリ内の物理的な量として同じように表される他のデータに変換することができる１又はそれ以上の処理システム若しくはコンピュータシステム又は同様の装置、あるいは、他のこのような情報記憶、送信又は表示装置の動作及び／又は処理をいう。更に、本願で使用されているように、コンピュータ装置は、揮発性若しくは不揮発性のメモリ又はそれらの組み合わせであるコンピュータ可読メモリと結合される１又はそれ以上のプロセッシング要素を有する。
【００４６】
実施形態は、ハードウェア、ファームウェア及びソフトウェアの１つ又は組み合わせで実施されてよい。実施形態は、また、本明細書で記載される動作を実行すべく少なくとも１つのプロセッサによって読み出されて実行される、コンピュータ可読媒体に記憶されている命令として実施されてもよい。コンピュータ可読媒体は、機械（例えば、コンピュータ）によって読取可能な形で情報を記憶し又は送信する何らかのメカニズムを有してよい。例えば、コンピュータ可読媒体には、読出専用メモリ（ＲＯＭ）、ランダムアクセスメモリ（ＲＡＭ）、磁気ディスク記憶媒体、光記憶媒体、フラッシュメモリ装置等が含まれてよい。
【００４７】
要約は、読む者が技術的開示の本質及び要点を確かめることを可能にする要約を要求する３７Ｃ．Ｆ．Ｒ．セクション１．７２（ｂ）に従うよう提供される。特許請求の範囲の適用範囲又は意義を制限し又は解釈するために用いられないとの理解の下、それは提出されている。特許請求の範囲は詳細な説明に組み込まれ、夫々の請求項は別の実施形態として自立している。
【図１】
2011512104.tif 000005
【図２Ａ】
2011512104.tif 000006
【図２Ｂ】
2011512104.tif 000007
【図２Ｃ】
2011512104.tif 000008
【図３】
2011512104.tif 000009
【図４】
2011512104.tif 000010
【図５】
2011512104.tif 000011
【国際調査報告】
2011512104.tif 000012
2011512104.tif 000013